【事件の表示】
　特願２０１１−１９７７８３「二重エネルギＣＴのためのノッチ・フィルタを備えたイメージング・システム」拒絶査定不服審判事件〔平成２４年　４月　５日出願公開、特開２０１２−　６６０７５〕について、次のとおり審決する。
【結　論】
　本件審判の請求は、成り立たない。
【理　由】
第１　手続の経緯
　本願は、平成２３年９月１２日（パリ条約による優先権主張　２０１０年９月２２日　米国）の出願であって、平成２７年６月４日付けで拒絶理由が通知され、同年７月３１日付けで意見書及び手続補正書が提出され、平成２８年１月６日付けで拒絶査定されたところ、同年４月５日に拒絶査定不服審判の請求がなされ、同時に手続補正がなされたものである。
　その後、当審において同年１２月１９日付けで拒絶理由が通知され、平成２９年３月１５日付けで意見書及び手続補正書が提出され、さらに、当審において同年３月２７日付けで拒絶理由（最後）が通知され、同年６月２日付けで意見書及び手続補正書が提出され、同年８月１６日付けでファクシミリで審尋を行い、同年８月２３日に回答書がファクシミリで送付されたものである。
第２　平成２９年６月２日付けの手続補正についての補正却下の決定
［補正の却下の決定の結論］
　平成２９年６月２日付けの手続補正についての補正（以下、「本件補正」という。）を却下する。
［理由］
１　補正の内容
（１）　本件補正後の特許請求の範囲の記載
　本件補正により、特許請求の範囲の請求項１の記載は、次のとおり補正された（下線部は、補正箇所を示す。）。
「Ｘ線のビーム（１６）を撮像対象（２２）へ向けて放出するＸ線源（１４）と、
前記対象（２２）により減弱された前記Ｘ線（１６）を受光する検出器（１８）と、
前記Ｘ線源（１４）と前記対象（２２）との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大する
単一の
前記検出器（１８）に接続されて動作するデータ取得システム（ＤＡＳ）（３２）と、
該ＤＡＳ（３２）に接続されて動作するコンピュータ（３６）と
を備えたイメージング・システム（１０）であって、前記コンピュータ（３６）は、
前記スペクトル・ノッチ・フィルタ（１５）を通過した第一のｋＶｐ（１０４）によるＸ線において第一の画像データセットを取得し、
前記スペクトル・ノッチ・フィルタ（１５）を通過した前記第一のｋＶｐ（１０４）よりも大きい第二のｋＶｐ（１０８）によるＸ線において第二の画像データセットを取得して、
前記第一の画像データセット及び前記第二の画像データセットを用いて前記対象（２２）の画像を形成する
ようにプログラムされ、
前記ノッチ・フィルタ（１５）は、Ｈｆ（ハフニウム）とＷ（タングステン）の組み合わせを含み、
前記第一のｋＶｐ（１０４）と前記第二のｋＶｐ（１０８）との間で高速な切り換えが行われる、イメージング・システム（１０）。」
　上記補正は、補正前の請求項１に記載した発明を特定するために必要な事項である「スペクトル・ノッチ・フィルタ（１５）」について、「単一の」との限定を付加するものであって、特許法第１７条の２第５項第２号の特許請求の範囲の減縮を目的とするものに該当する。
２　補正の適否
　そこで、本件補正後の請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
（１）　本願補正発明
　本願補正発明は、平成２９年６月２日付け手続補正により補正された特許請求の範囲の請求項１の事項により特定される発明であり、分説してA)ないしI)の符号を付けると、以下の事項により特定される発明である。
「【請求項１】
A)　Ｘ線のビーム（１６）を撮像対象（２２）へ向けて放出するＸ線源（１４）と、
B)　前記対象（２２）により減弱された前記Ｘ線（１６）を受光する検出器（１８）と、
C)　前記Ｘ線源（１４）と前記対象（２２）との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大する単一のスペクトル・ノッチ・フィルタ（１５）と、
D)　前記検出器（１８）に接続されて動作するデータ取得システム（ＤＡＳ）（３２）と、
E)　該ＤＡＳ（３２）に接続されて動作するコンピュータ（３６）と
F)　を備えたイメージング・システム（１０）であって、
G)　前記コンピュータ（３６）は、
G-1)　前記スペクトル・ノッチ・フィルタ（１５）を通過した第一のｋＶｐ（１０４）によるＸ線において第一の画像データセットを取得し、
G-2)　前記スペクトル・ノッチ・フィルタ（１５）を通過した前記第一のｋＶｐ（１０４）よりも大きい第二のｋＶｐ（１０８）によるＸ線において第二の画像データセットを取得して、
G-3)　前記第一の画像データセット及び前記第二の画像データセットを用いて前記対象（２２）の画像を形成するようにプログラムされ、
H)　前記ノッチ・フィルタ（１５）は、Ｈｆ（ハフニウム）とＷ（タングステン）の組み合わせを含み、
I)　前記第一のｋＶｐ（１０４）と前記第二のｋＶｐ（１０８）との間で高速な切り換えが行われる、
F)　イメージング・システム（１０）。」
　本願補正発明における「単一のスペクトル・ノッチ・フィルタ（１５）」に関して、平成２９年８月１６日付けでファクシミリで審尋を行い、「請求項１における「単一の」の記載を、どのような意味で用いているのか」を請求人に尋ねたところ、同年８月２３日に回答書がファクシミリで送付され、「請求項１における「単一の」の記載は、「スペクトル・ノッチ・フィルタ（１５）」が一つであることを意味しております。」との回答を得た。したがって、本願補正発明のスペクトル・ノッチ・フィルタは、文字通り「単一の」ものを意味すると認める。
（２）　平成２９年３月２７日付け拒絶理由の概要
　当審による平成２９年３月２７日付け拒絶理由の概要は、請求項１に係る発明に対する拒絶理由を含むものであって、請求項１に係る発明は、その優先日前に日本国内又は外国において頒布された下記の刊行物に記載された発明又は電気通信回線を通じて公衆に利用可能となった発明に基いて、その優先日前にその発明の属する技術の分野における通常の知識を有する者（以下、「当業者」という。）が容易に発明をすることができたものであるから、特許法第２９条第２項の規定により特許を受けることができないというものである。
　　　　　　　　　　　　　　　　　記
刊行物１：特開平６−１２１７９１号公報
刊行物２：J.A.BEARDEN et al.、Reevaluation of X-Ray Atomic Energy Levels、REVIEWS OF MODERN PHYSICS、Vol.39 No.1、１９６７年、pp.125-142
刊行物３：特開平５−２１２０２８号公報
刊行物４：特開平１０−１９２２６６号公報
（３）　引用刊行物の記載事項
ア　刊行物１
（ア）　刊行物１の記載事項
　刊行物１には、以下の事項が記載されている。なお、下線は当審において付与したものである。
（刊１−ア）「【請求項１】
Ｘ線を照射するとともに、Ｘ線のエネルギースペクトルを切り替え可能なＸ線照射手段と、前記Ｘ線照射手段から照射されるＸ線のスペクトルを複数のエネルギーバンドに分離するフィルタと、前記フィルタで分離した複数のエネルギーバンドのＸ線が被検体に照射され、エネルギーバンド毎に前記被検体のＸ線透過強度を検出するＸ線検出手段と、前記Ｘ線検出手段により検出されたＸ線透過強度を用いて演算し前記被検体中に含まれる物質の定量計算を行う演算手段とを備えたＸ線定量装置。
【請求項２】Ｘ線照射手段は、Ｘ線を照射するＸ線管と、前記Ｘ線管の管電圧を切り替えてＸ線のエネルギースペクトルを切り替える切替え装置から構成し、
フィルタはＫ吸収端フィルタで構成
Ｘ線検出手段はＣｄＴｅ半導体Ｘ線検出器で構成
（刊１−イ）「【００５２】
【実施例】以下、本発明の一実施例について図面を参照しながら説明する。図１は本発明の一実施例におけるＸ線定量装置の構成図である。図１において、Ｘ線照射装置は
Ｘ線管11と管電圧切替え装置12から構成され、Ｘ線管11はＸ線を照射し、管電圧切替え装置12は、Ｘ線管11から発生するＸ線のスペクトルを変えるために管電圧を切り替え
Ｋ吸収端フィルタ13はＸ線管11から照射されたＸ線のスペクトルを２つのエネルギーバンドに分離する。ＣｄＴｅ半導体Ｘ線検出器14は、それぞれのエネルギーバンドにおける、被検体15を透過したＸ線強度を測定
このＸ線検出器14が制御装置16を介して接続される演算装置17は表示装置18に接続され、Ｘ線検出器14からの透過情報を用いて計算処理を行い、Ｘ線検出器14で検出されたＸ線透過強度を演算して被検体15中に含まれる物質の定量計算を行い、計算結果などを表示装置18に表示する
【００５３】ここで、
Ｋ吸収端フィルタ13としてはガドリニウムを用いた
50.2ｋｅＶにＫ吸収端を持つ
Ｘ線管電圧を80ｋＶとして、Ｘ線管11から放射されるファンビームＸ線21がＫ吸収端フィルタ13を透過した後のスペクトル
50ｋｅＶを境に、２つのエネルギーバンドＬ１、Ｈ１に分離されている。Ｌ１の実効エネルギーは45ｋｅＶであり、Ｈ１の実効エネルギーは65ｋｅＶである。
【００５４】また、
管電圧切替え装置12により、Ｘ線管11の管電圧を80ｋＶから120 ｋＶに変えると、同じＫ吸収端フィルタ13を透過したＸ線スペクトルは
50ｋｅＶを境に、２つのエネルギーバンドＬ２、Ｈ２に分離され
Ｌ２の実効エネルギーは45ｋｅＶ、Ｈ２の実効エネルギーは85ｋｅＶ
【００５５】以上のどのエネルギーバンドにおいても、Ｋ吸収端フィルタ13の厚さは２つのエネルギーバンドを得る場合の光子数と同等である。したがって、
管電圧を80ｋＶと120 ｋＶに切り替えることにより、実効エネルギー45ｋＶ、65ｋｅＶ、85ｋｅＶの３つのエネルギーバンドを有するＸ線を被検体15に照射することができ
（刊１−ウ）「【００５８】ここで、図２，３に示したエネルギーバンドを持つＸ線の被検体15に対する透過強度を測定するためには、１つのパルス波高弁別器24の比較電圧をノイズ成分とＸ線による信号パルスの境界となる電圧に設定し、他の１つのパルス波高弁別器25の比較電圧を50ｋｅＶに相当するパルス波高の電圧に設定する。カウンタ26では、ＣｄＴｅ検出器22に吸収されたＸ線光子の総数がパルス数として計数される。また、
カウンタ27では、50ｋｅＶ以上のエネルギーを持つＸ線光子がパルス数として計数され
管電圧切替え装置12でＸ線管11の管電圧を切り替えてＸ線のエネルギースペクトルを切り替えることにより、実効エネルギーＨ1 、Ｈ2 のＸ線光子はカウンタ27でそれぞれ計測され
実効エネルギーＬ1 、Ｌ2 のＸ線光子はカウンタ25で計数された値からカウンタ27で計数した値を減算することによりそれぞれ得られ
３つのエネルギーバンドのＸ線透過強度を光子数として計数することができ
（刊１−エ）「【００６０】すなわち、
移動装置19により、Ｘ線管11、Ｋ吸収端フィルタ13とＸ線検出器14を同期させて
ライン方向に移動させながら被検体15としての人体28
管電圧切替え装置12により、Ｘ線管11の管電圧は、各ラインごとに80ｋＶと120 ｋＶに切り替えられ、３つのエネルギーバンドのＸ線が人体28を透過した後の強度をＸ線検出器14により測定し、それぞれ２次元の透過情報を得
【００６１】この方法で測定した値により、（数２３）から（数２５）を用いて、減弱係数μA 、μB 、μC に骨29、脂肪30、筋肉31の減弱係数を対応させて計算することにより、
図５に示す人体28の各部における骨29、脂肪30、筋肉31の量を求めることができた。
（刊１−オ）「【００６３】
なお、本実施例においては、Ｋ吸収端としてガドリニウムを用いたが、これに限られるわけではなく、測定しようとする物質に好適なエネルギーバンドが得られるようなＫ吸収端を有する材料を用いることができる。たとえば、ガドリニウムとエルビウムを組み合わせても、50ｋｅＶを境に２つのエネルギーバンドに分離できる。
【００６４】また、Ｘ線管電圧も本実施例の80ｋＶと120 ｋＶに限るものでなく、測定しようとする物質に好適なエネルギーバンドが得られるようにＫ吸収端と併せて選択することができる。」
（刊１−カ）図１
「
」
（刊１−キ）図２
「
」
（刊１−ク）図３
「
」
（刊１−ケ）　図５
「
」
（イ）　刊行物１に記載された発明の認定
　上記（刊１−エ）及び（刊１−ケ）を参照すると、測定されたそれぞれの２次元の透過情報に基づき、被検体15としての人体28の画像を構成する点が見て取れる。
　また、上記（刊１−カ）に示した図１を参照すると、Ｋ吸収端フィルタ１３が、単一のものであることは明らかである。
　よって、上記（刊１−ア）ないし（刊１−ケ）を含む刊行物１全体の記載を総合すると、刊行物１には、
「Ｘ線を照射するとともに、Ｘ線のエネルギースペクトルを切り替え可能なＸ線照射手段と、前記Ｘ線照射手段から照射されるＸ線のスペクトルを複数のエネルギーバンドに分離するフィルタと、前記フィルタで分離した複数のエネルギーバンドのＸ線が被検体に照射され、エネルギーバンド毎に前記被検体のＸ線透過強度を検出するＸ線検出手段と、前記Ｘ線検出手段により検出されたＸ線透過強度を用いて演算し前記被検体中に含まれる物質の定量計算を行う演算手段とを備えたＸ線定量装置であり、
　前記フィルタは50.2ｋｅＶにＫ吸収端を持つガドリニウムを用いた単一のＫ吸収端フィルタで構成され、
　前記Ｘ線照射手段は、Ｘ線管11と管電圧切替え装置12から構成され、Ｘ線管11はＸ線を照射し、管電圧切替え装置12は、Ｘ線管11から発生するＸ線のスペクトルを変えるために管電圧を切り替え、
　前記Ｋ吸収端フィルタ13はＸ線管11から照射されたＸ線のスペクトルを２つのエネルギーバンドに分離するものであり、
　前記Ｘ線検出手段はＣｄＴｅ半導体Ｘ線検出器14で構成され、前記ＣｄＴｅ半導体Ｘ線検出器14は、それぞれのエネルギーバンドにおける、被検体15を透過したＸ線強度を測定し、
　このＸ線検出器14が制御装置16を介して接続される演算装置17は表示装置18に接続され、Ｘ線検出器14からの透過情報を用いて計算処理を行い、Ｘ線検出器14で検出されたＸ線透過強度を演算して被検体15中に含まれる物質の定量計算を行い、計算結果などを表示装置18に表示するものであり、
　Ｘ線管電圧を80ｋＶとして、Ｘ線管11から放射されるファンビームＸ線21がＫ吸収端フィルタ13を透過した後のスペクトルは、50ｋｅＶを境に、２つのエネルギーバンドＬ１、Ｈ１に分離され、Ｌ１の実効エネルギーは45ｋｅＶであり、Ｈ１の実効エネルギーは65ｋｅＶであり、
　管電圧切替え装置12により、Ｘ線管11の管電圧を80ｋＶから120 ｋＶに変えると、同じＫ吸収端フィルタ13を透過したＸ線スペクトルは、50ｋｅＶを境に、２つのエネルギーバンドＬ２、Ｈ２に分離され、Ｌ２の実効エネルギーは45ｋｅＶ、Ｈ２の実効エネルギーは85ｋｅＶであり、
　管電圧を80ｋＶと120 ｋＶに切り替えることにより、実効エネルギー45ｋｅＶ、65ｋｅＶ、85ｋｅＶの３つのエネルギーバンドを有するＸ線を被検体15に照射することができ、
　移動装置19により、Ｘ線管11、Ｋ吸収端フィルタ13とＸ線検出器14を同期させてライン方向に移動させながら、管電圧切替え装置12により、Ｘ線管11の管電圧は、各ラインごとに80ｋＶと120ｋＶに切り替えられ、３つのエネルギーバンドのＸ線が被検体15としての人体28を透過した後の強度をＸ線検出器14により測定し、それぞれ２次元の透過情報を得、測定されたそれぞれの２次元の透過情報に基づき、被検体15の画像を構成する、
　Ｘ線定量装置。」
の発明（以下、「引用発明」という。）が記載されている。
イ　刊行物２
（ア）　刊行物２の記載事項
　刊行物２には、以下の事項が記載されている。
（刊２−ア）P.128　TABLE I の説明文
「TABLE I. Recomended values of atomic energy levels, and probable errors in eV.」(当審訳：原子エネルギーレベルの推奨値と、ｅＶでの推定誤差)
（刊２−イ）P.132　TABLE I (continued)の下の部分
「
」
（刊２−ウ）P.133　TABLE I (continued)の下の部分
「
」
（イ）　刊行物２の記載より認定できる事項
　（刊２−イ）に示したTABLE I (continued)の72HfのKを参照すると、Ｈｆ（ハフニウム）のＫ吸収端のエネルギーが65350.8±0.6eVであり、また、（刊２−ウ）に示したTABLE I (continued)の74WのKを参照すると、Ｗ（タングステン）のＫ吸収端のエネルギーが69525.0±0.3eVである点が理解できる。
　そして、刊行物２が１９６７年に刊行されたものであることから、上記の各々の値は、本願優先日前において、周知であったものと認められる。
ウ　刊行物３
　刊行物３には、以下の事項が記載されている。
（刊３−１）
「【請求項１】放射線発生器から被写体に照射された放射線ビーム上から発生するコンプトン散乱放射線を検出することにより前記被写体内の縦方向の断層像を得る放射線３次元画像撮影装置であって、前記コンプトン散乱放射線のエネルギー強度を検出する放射線検出器を備え、前記エネルギー強度を比較して前記被写体を構成する材料に関する情報を得る構成とした放射線３次元画像撮影装置。
【請求項２】放射線検出器に、コンプトン散乱放射線のエネルギー強度を２つのエネルギー範囲に分離して検出する２組のディスクリミネータおよびカウンタと、前記２組のディスクリミネータおよびカウンタにより分離した前記コンプトン散乱放射線のエネルギー強度情報よりなる画像情報を用いて、低エネルギー画像情報と高エネルギー画像情報の比、または、低エネルギー画像情報を対数化した画像情報と高エネルギー画像情報を対数化した画像情報の比を演算して画像情報とする画像処理部とを設けた請求項１記載の放射線３次元画像撮影装置。
【請求項３】放射線発生器と被写体の間に、前記放射線発生器から発生する放射線エネルギー強度を２つの領域に分離する、タンタル（Ｔａ）、
タングステン（Ｗ）
を含みＫ殻吸収端を利用したＫエッジフィルタ
（刊３−２）
「【００２０】このビームハードニング現象を低減する方法としては入射Ｘ線のエネルギースペクトルをできうる限り狭くすることである。この方法としては、Ｘ線を２つのエネルギー領域に前もって分離した後に被写体14に照射すればよい。その１例としてＸ線発生器11と被写体14の間にＫ殻吸収端を利用したＫエッジフィルタ25を設け、Ｋエッジフィルタ25は、分離したいエネルギーに吸収端の存在する材料を挿入することにより、Ｘ線発生器11から発生するＸ線エネルギー強度を容易に２つのエネルギー帯に分離することができる。本発明の散乱Ｘ線エネルギー領域で使用するＫエッジフィルタとして適したものはタンタル（Ｔａ）、
タングステン（Ｗ）
を含むフィルタ
60〜80keV に吸収端を有している。
エ　刊行物４
　刊行物４には、以下の事項が記載されている。
（刊４−１）
「【請求項１】  Ｘ線を被検体に放射し、該被検体を通過した透過Ｘ線をＸ線検出手段により検出して透過Ｘ線像を収集するＸ線診断方法において、
Ｘ線源と
Ｘ線検出手段との間に
Ｋ吸収端を持つＸ線フィルタ
挿入
（刊４−２）
「【００３７】・・・セシウム（Ｃｓ）のＫ吸収端は３５．９８ｋｅＶ、ガドリニウム（Ｇｄ）のＫ吸収端は５０．２３ｋｅＶ、
ハフニウム（Ｈｆ）のＫ吸収端は６５．３４ｋｅＶ
（４）　本願補正発明と引用発明との対比
　本願補正発明と引用発明とを対比する。
ア　本願補正発明のA)の特定事項について
　引用発明の「Ｘ線を」「被検体に照射」する「Ｘ線管11」は、本願補正発明の「Ｘ線のビーム（１６）を撮像対象（２２）へ向けて放出するＸ線源（１４）」に相当する。
イ　本願補正発明のB)の特定事項について
　引用発明の「被検体15としての人体28を透過した後の」「Ｘ線の」「強度」を「測定」する「Ｘ線検出器14」は、本願補正発明の「前記対象（２２）により減弱された前記Ｘ線（１６）を受光する検出器（１８）」に相当する。
ウ　本願補正発明のC)の特定事項について
（ア）　引用発明の「50.2ｋｅＶにＫ吸収端を持つガドリニウム」は、本願補正発明の「約３０ｋｅＶと８０ｋｅＶとの間にｋエッジを有する物質」に相当する。
（イ）　引用発明の「50.2ｋｅＶにＫ吸収端を持つガドリニウムを用いた」「Ｋ吸収端フィルタ」は、「Ｘ線管11から照射されたＸ線のスペクトルを２つのエネルギーバンドに分離するものであ」り、「実効エネルギー45ｋｅＶ、65ｋｅＶ、85ｋｅＶの３つのエネルギーバンドを有するＸ線を被検体15に照射する」ためのものであるから、「Ｘ線管11」と「被検体15」の間に配置されるものであることは明らかである。
（ウ）　引用発明の「Ｋ吸収端フィルタ」は、「Ｘ線管11から照射されたＸ線のスペクトルを２つのエネルギーバンドに分離するものであ」り、「Ｋ吸収端」において、スペクトルをノッチ状に吸収するものであることは当業者にとって明らかである。
（エ）　引用発明の「単一のＫ吸収端フィルタ」と、本願補正発明の「単一のスペクトル・ノッチ・フィルタ（１５）」は、いずれも「単一の」フィルタである点で一致する。
（オ）　よって、引用発明の「単一のＫ吸収端フィルタ」は、本願補正発明の「単一のスペクトル・ノッチ・フィルタ（１５）」に相当し、両者は、Ｘ線源と、対象との間に配置されるものである点で一致する。
（カ）　（刊１−キ）に示した図２と（刊１−ク）に示した図３を比較すると、50ｋｅＶより低いＬ１とＬ２は同じだが、50ｋｅＶより高いＨ１とＨ２は、Ｈ２の方がＨ１よりエネルギーが高いことが読み取れるから、引用発明の「Ｋ吸収端フィルタ」は「低ｋＶｐと高ｋＶｐとの間のエネルギーを吸収」するものであり、「両者のエネルギ分離を拡大する」ものと認められる。
（キ）　以上のことから、引用発明の「50.2ｋｅＶにＫ吸収端を持つガドリニウムを用いた単一のＫ吸収端フィルタ」と、本願補正発明の「前記Ｘ線源（１４）と前記対象（２２）との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大する単一のスペクトル・ノッチ・フィルタ（１５）」とは、「前記Ｘ線源」「と前記対象」「との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大する単一のスペクトル・ノッチ・フィルタ」である点で一致する。
エ　本願補正発明のD)の特定事項について
　引用発明は、「Ｘ線が被検体15としての人体28を透過した後の強度をＸ線検出器14により測定し、それぞれ２次元の透過情報を得る」ものであり、引用発明の「Ｘ線検出器14により測定」し、「２次元の透過情報を得る」手段は、本願補正発明の「前記検出器（１８）に接続されて動作するデータ取得システム（ＤＡＳ）（３２）」に相当する。
オ　本願補正発明のE)の特定事項について
　引用発明の「Ｘ線検出器14」に「接続される」「制御装置16」及び「Ｘ線検出器14からの透過情報を用いて計算処理を行」う「演算装置17」は、本願補正発明の「該ＤＡＳ（３２）に接続されて動作するコンピュータ（３６）」に相当する。
カ　本願補正発明のF)の特定事項について
（ア）　引用発明の「Ｘ線定量装置」は、「測定されたそれぞれの２次元の透過情報に基づき、被検体15の画像を構成する」ものである。
（イ）　よって、引用発明の「測定されたそれぞれの２次元の透過情報に基づき、被検体15の画像を構成する」「Ｘ線定量装置」は、本願補正発明の 「イメージング・システム（１０）」に相当する。
キ　本願補正発明のG)の特定事項について
（ア）　引用発明の「２次元の透過情報」は、本願補正発明の「画像データセット」に相当する。
（イ）　引用発明の「80ｋＶ」は、本願補正発明の「第一のｋＶｐ（１０４）」に相当する。
（ウ）　引用発明の「80ｋＶとして、Ｘ線管11から放射されるファンビームＸ線21がＫ吸収端フィルタ13を透過した後のスペクトル」を「２つのエネルギーバンドＬ１、Ｈ１に分離」し、「Ｌ１の実効エネルギーは45ｋｅＶであり、Ｈ１の実効エネルギーは65ｋｅＶであり、」「実効エネルギー」「45ｋｅＶ」及び「実効エネルギー」「65ｋｅＶ」「のエネルギーバンドを有するＸ線を被検体15に照射」し、「Ｘ線が被検体15としての人体28を透過した後の強度をＸ線検出器14により測定し、」「２次元の透過情報を得る」ことと、本願補正発明の「前記スペクトル・ノッチ・フィルタ（１５）を通過した第一のｋＶｐ（１０４）によるＸ線において第一の画像データセットを取得」することとは、「スペクトル・ノッチ・フィルタを通過した第一のｋＶｐによるＸ線において第一の画像データセットを取得」する点で共通する。
（エ）　引用発明の「120 ｋＶ」は、本願補正発明の「前記第一のｋＶｐ（１０４）よりも大きい第二のｋＶｐ（１０８）」に相当する。
（オ）　引用発明の「Ｘ線管11の管電圧を80ｋＶから120 ｋＶに変え」、「Ｋ吸収端フィルタ13を透過したＸ線スペクトル」を「２つのエネルギーバンドＬ２、Ｈ２に分離」し、「Ｌ２の実効エネルギーは45ｋｅＶ、」「Ｈ２の実効エネルギーは85ｋｅＶであり、」「実効エネルギー」「45ｋｅＶ」及び「実効エネルギー」「85ｋｅＶ」「のエネルギーバンドを有するＸ線を被検体15に照射」し、「Ｘ線が被検体15としての人体28を透過した後の強度をＸ線検出器14により測定し、」「２次元の透過情報を得る」ことと、本願補正発明の「前記スペクトル・ノッチ・フィルタ（１５）を通過した前記第一のｋＶｐ（１０４）よりも大きい第二のｋＶｐ（１０８）によるＸ線において第二の画像データセットを取得」することとは、「スペクトル・ノッチ・フィルタを通過した第二のｋＶｐによるＸ線において第二の画像データセットを取得」する点で共通する。
（カ）　上記（ウ）、（オ）での検討に鑑みれば、引用発明の「80ｋＶとして、Ｘ線管11から放射されるファンビームＸ線21がＫ吸収端フィルタ13を透過した後のスペクトル」による「実効エネルギー」「45ｋｅＶ」及び「実効エネルギー」「65ｋｅＶ」「のエネルギーバンド」による「２次元の透過情報」は、本願補正発明の「スペクトル・ノッチ・フィルタ（１５）を通過した第一のｋＶｐ（１０４）によるＸ線」により「取得」される「第一の画像データセット」に相当し、引用発明の「Ｘ線管11の管電圧を80ｋＶから120 ｋＶに変え」、「Ｋ吸収端フィルタ13を透過したＸ線スペクトル」による「実効エネルギー」「45ｋｅＶ」及び「実効エネルギー」「85ｋｅＶ」「のエネルギーバンド」による「２次元の透過情報」は、本願補正発明の「スペクトル・ノッチ・フィルタ（１５）を通過した」「第一のｋＶｐ（１０４）よりも大きい第二のｋＶｐ（１０８）によるＸ線」により「取得」される「第二の画像データセット」に相当することから、引用発明の「管電圧を80ｋＶと120 ｋＶに切り替えることにより、実効エネルギー45ｋｅＶ、65ｋｅＶ、85ｋｅＶの３つのエネルギーバンドを有するＸ線を被検体15に照射することができ、」「３つのエネルギーバンドのＸ線が被検体15としての人体28を透過した後の強度をＸ線検出器14により測定し、それぞれ２次元の透過情報を得、測定されたそれぞれの２次元の透過情報に基づき、被検体15の画像を構成する」ことと、本願補正発明の「前記スペクトル・ノッチ・フィルタ（１５）を通過した第一のｋＶｐ（１０４）によるＸ線において第一の画像データセットを取得し、」「前記スペクトル・ノッチ・フィルタ（１５）を通過した前記第一のｋＶｐ（１０４）よりも大きい第二のｋＶｐ（１０８）によるＸ線において第二の画像データセットを取得して、」「前記第一の画像データセット及び前記第二の画像データセットを用いて前記対象（２２）の画像を形成する」こととは、「スペクトル・ノッチ・フィルタ」「を通過した第一のｋＶｐ」「によるＸ線において第一の画像データセットを取得し、」「前記スペクトル・ノッチ・フィルタ」「を通過した前記第一のｋＶｐ」「よりも大きい第二のｋＶｐ」「によるＸ線において第二の画像データセットを取得して、前記第一の画像データセット及び前記第二の画像データセットを用いて前記対象」「の画像を形成する」点で一致する。
（キ）　引用発明の「制御装置16」及び「演算装置17」は、上記「オ」で検討したように、本願補正発明の「コンピュータ（３６）」に相当するものであるから、「制御装置16」及び「演算装置17」が、プログラムにより動作していることは、当業者にとって明らかである。
（ク）　以上のことから、本願補正発明と引用発明は、「前記コンピュータ」「は、」「スペクトル・ノッチ・フィルタ」「を通過した第一のｋＶｐ」「によるＸ線において第一の画像データセットを取得し、」「前記スペクトル・ノッチ・フィルタ」「を通過した前記第一のｋＶｐ」「よりも大きい第二のｋＶｐ」「によるＸ線において第二の画像データセットを取得して、前記第一の画像データセット及び前記第二の画像データセットを用いて前記対象」「の画像を形成するようにプログラムされ」る点で一致する。
ク　本願補正発明のH)の特定事項について
  引用発明は、本願補正発明のH)の特定事項を具備していない。
ケ　本願補正発明のI)の特定事項について
　引用発明は「管電圧切替え装置12により、Ｘ線管11の管電圧は、各ラインごとに80ｋＶと120ｋＶに切り替え」を行うものである。
　よって、本願補正発明と引用発明は、「前記第一のｋＶｐと前記第二のｋＶｐとの間で」「切り換えが行われる」点で一致する。
　そうすると、本願補正発明と引用発明は、以下の点で一致する。
＜一致点＞
　Ｘ線のビームを撮像対象へ向けて放出するＸ線源と、
　前記対象により減弱された前記Ｘ線を受光する検出器と、
　前記Ｘ線源と前記対象との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大する単一のスペクトル・ノッチ・フィルタと、
　前記検出器に接続されて動作するデータ取得システム（ＤＡＳ）と、
該ＤＡＳに接続されて動作するコンピュータと、
を備えたイメージング・システムであって、
　前記コンピュータは、前記スペクトル・ノッチ・フィルタを通過した第一のｋＶｐによるＸ線において第一の画像データセットを取得し、
　前記スペクトル・ノッチ・フィルタを通過した前記第一のｋＶｐよりも大きい第二のｋＶｐによるＸ線において第二の画像データセットを取得して、
　前記第一の画像データセット及び前記第二の画像データセットを用いて前記対象の画像を形成するようにプログラムされ、
　前記第一のｋＶｐと前記第二のｋＶｐとの間で切り換えが行われる、
　イメージング・システム。
　また、両者は、以下の点で相違している。
＜相違点１＞
　スペクトル・ノッチ・フィルタが、本願補正発明では、「Ｈｆ（ハフニウム）とＷ（タングステン）の組み合わせを含」むものであるのに対して、引用発明では、「50.2ｋｅＶにＫ吸収端を持つガドリニウムを用いた」ものである点。
＜相違点２＞
　第一のｋＶｐと第二のｋＶｐとの間で行われる切り換えが、本願補正発明は「高速な」切り換えであるのに対して、引用発明は、高速であるとは特定されていない点。
（５）　当審の判断
　上記の各相違点について以下に検討する。
ア　相違点１について
　上記（刊１−オ）を参照すると、刊行物１の段落【００６３】には、「なお、本実施例においては、Ｋ吸収端としてガドリニウムを用いたが、これに限られるわけではなく、測定しようとする物質に好適なエネルギーバンドが得られるようなＫ吸収端を有する材料を用いることができる。」と記載されており、測定対象に応じて、様々な「Ｋ吸収端を有する材料」を用いることが示唆されている。さらに、同段落には、「たとえば、ガドリニウムとエルビウムを組み合わせても、50ｋｅＶを境に２つのエネルギーバンドに分離できる」と記載されているから、「Ｋ吸収端を有する材料の組み合わせ」を用いることが記載されている。また、刊行物１の段落【００６４】には、「Ｘ線管電圧も本実施例の80ｋＶと120 ｋＶに限るものでなく、測定しようとする物質に好適なエネルギーバンドが得られるようにＫ吸収端と併せて選択することができる。」と記載されている。これらの記載から、引用発明は、様々な管電圧、エネルギーバンド及びＫ吸収端を想定したものといえる。
　そして、引用発明のＫ吸収端フィルタは、エネルギーバンドを分離するためのものであって、当該エネルギーバンド中にＫ吸収端を有する材料を用いる必要があるところ、上記「２　刊行物２」「（２）　刊行物２の記載より認定できる事項」に示したように、「Ｈｆ（ハフニウム）」及び「Ｗ（タングステン）」は、当該エネルギーバンドに含まれる約６５ｋｅＶ及び約７０ｋｅＶにそれぞれＫ吸収端を有する材料として周知であるし、「Ｈｆ（ハフニウム）」や「Ｗ（タングステン）」は、それぞれがＸ線撮像装置に使用されるＸ線フィルタの材料として周知であり（例えば刊行物３（上記（刊３−１）、（刊３−２）参照）や、刊行物４（上記（刊４−１）、（刊４−２）参照））、引用発明において、Ｋ吸収端フィルタとして、Ｘ線フィルタの材料として各々周知の「Ｈｆ（ハフニウム）」、及び、「Ｗ（タングステン）」を組み合わせて用いることは、測定対象に応じて、当業者が容易に想到し得たことである。
　よって、スペクトル・ノッチ・フィルタとして、「Ｈｆ（ハフニウム）とＷ（タングステン）の組み合わせを含」むものを採用し、本願補正発明の相違点１に係る構成を成すことは、引用発明及び周知事項に基づき、当業者が容易になし得ることである。
イ　相違点２について
　本願補正発明において、「高速」の程度は特定されておらず、引用発明の切り換え速度との大小を認定することはできないところ、上記（刊１−エ）を参照すると、刊行物１の段落【００６０】には、「・・・移動装置19により、Ｘ線管11、Ｋ吸収端フィルタ13とＸ線検出器14を同期させて図１の矢印Ｒのライン方向に移動させながら被検体15としての人体28透過後のＸ線光子数を75ラインに渡って測定した。管電圧切替え装置12により、Ｘ線管11の管電圧は、各ラインごとに80ｋＶと120 ｋＶに切り替えられ、３つのエネルギーバンドのＸ線が人体28を透過した後の強度をＸ線検出器14により測定し、それぞれ２次元の透過情報を得た。・・・」と記載されており、引用発明では、被検体とＸ線源及び検出器とを相対移動させながらライン毎に管電圧を素早く切り換える必要があることが明らかであるから、この切り換えの程度を「高速」とすることは、被検体の移動速度等に応じて、当業者が適宜なし得たことといえる。
　よって、本願補正発明の相違点２に係る構成は、当業者が適宜になし得たことである。
ウ　本件補正発明の奏する作用効果
　本願補正発明の作用効果は、刊行物１の記載事項及び周知事項から当業者が予測できる範囲内のものであり、格別顕著なものとはいえない。
（６）　小括
　よって、本願補正発明は、刊行物１の記載事項及び周知事項に基づいて、当業者が容易に発明をすることができたものであるから、特許法第２９条第２項の規定により特許出願の際独立して特許を受けることができないものである。
　以上のとおり、本件補正は、特許法第１７条の２第６項で準用する同法第１２６条第７項の規定に違反するものであり、特許法第１５９条第１項で読み替えて準用する特許法第５３条第１項の規定により却下されるべきものである。
第３　本願発明について
１　本願発明
　平成２９年６月２日付けの手続補正は、上記のとおり却下されたので、本願の請求項１に係る発明（以下、「本願発明」という。）は、平成２９年３月１５日付けの手続補正により補正された特許請求の範囲の請求項１に記載された事項により特定される、以下のとおりのものである。
「Ｘ線のビーム（１６）を撮像対象（２２）へ向けて放出するＸ線源（１４）と、
前記対象（２２）により減弱された前記Ｘ線（１６）を受光する検出器（１８）と、
前記Ｘ線源（１４）と前記対象（２２）との間に配置され、約３０ｋｅＶと８０ｋｅＶとの間にｋエッジを有する物質を含み、低ｋＶｐと高ｋＶｐとの間のエネルギーを吸収し、両者のエネルギ分離を拡大するスペクトル・ノッチ・フィルタ（１５）と、
前記検出器（１８）に接続されて動作するデータ取得システム（ＤＡＳ）（３２）と、
該ＤＡＳ（３２）に接続されて動作するコンピュータ（３６）と
を備えたイメージング・システム（１０）であって、前記コンピュータ（３６）は、
前記スペクトル・ノッチ・フィルタ（１５）を通過した第一のｋＶｐ（１０４）によるＸ線において第一の画像データセットを取得し、
前記スペクトル・ノッチ・フィルタ（１５）を通過した前記第一のｋＶｐ（１０４）よりも大きい第二のｋＶｐ（１０８）によるＸ線において第二の画像データセットを取得して、
前記第一の画像データセット及び前記第二の画像データセットを用いて前記対象（２２）の画像を形成するようにプログラムされ、
前記ノッチ・フィルタ（１５）は、Ｈｆ（ハフニウム）とＷ（タングステン）の組み合わせを含み、
前記第一のｋＶｐ（１０４）と前記第二のｋＶｐ（１０８）との間で高速な切り換えが行われる、イメージング・システム（１０）。」
２　引用刊行物の記載事項
　当審による平成２９年３月２７日付け拒絶理由に引用された刊行物及びその記載事項は、前記「第２　平成２９年６月２日付けの手続補正についての補正却下の決定」「２　補正の適否」「（３）　引用刊行物記載の事項」に記載したとおりである。
３　対比・判断
　本願発明は、前記「第２　平成２９年６月２日付けの手続補正についての補正却下の決定」で検討した本願補正発明から、「スペクトル・ノッチ・フィルタ（１５）」の限定事項である「単一の」との構成を省いたものである。
　そうすると、本願発明の構成要件を全て含み、さらに他の構成要件を付加したものに相当する本願補正発明が、前記「第２　平成２９年６月２日付けの手続補正についての補正却下の決定」「２　補正の適否」「（５）　当審の判断」に記載したとおり、刊行物１の記載事項及び周知事項に基づいて、当業者が容易に発明をすることができたものであるから、本願発明も、同様の理由により、刊行物１の記載事項及び周知事項に基づいて、当業者が容易に発明をすることができたものである。
４　むすび
　以上のとおり、本願発明は、刊行物１の記載事項及び周知事項に基づいて、当業者が容易に発明をすることができたものであり、特許法第２９条第２項の規定により特許を受けることができないから、他の請求項に係る発明について検討するまでもなく、本願は拒絶されるべきものである。
　よって、結論のとおり審決する。